(57)【特許請求の範囲】
【請求項１】
合成樹脂製のシート材を棒状に巻き付けて形成したクッション単体と、複数本のクッション単体を断面三角形状にまとめて形成したクッション複合体と、該クッション複合体の表面を覆う滑り止めシートとで構成され、クッション複合体の斜面に背中が当接すると身体が横向きになり睡眠時の気道を確保するように構成した無呼吸治療具兼いびき防止具において、クッション複合体は、径の細い小径クッション体を３本まとめて芯材とし、該芯材の周囲に径の太い大径クッション体を３本組み合わせて断面三角形状を成すように緊締具でまとめると共に、まとめられた大径クッション体の外側を吸湿カバーで被覆したことを特徴とする無呼吸治療具兼いびき防止具。
【請求項２】
前記シート材は、シート材の片面に歯車の歯の如き突起を設けたポリエチレン製のシート材とし、該突起を外向きに巻き付けて前記クッション単体が形成され、前記滑り止めシートは、網目状シートの表面を合成樹脂にて被覆した滑り止めシートとする請求項１記載の無呼吸治療具兼いびき防止具。
【発明の詳細な説明】
【技術分野】
【０００１】
本発明は、睡眠時に背中に当てて身体を横向きにすることで、睡眠時無呼吸症候群の無呼吸を防止すると共に、いびきを防止する無呼吸治療具兼いびき防止具に関するものである。
【背景技術】
【０００２】
睡眠時無呼吸症候群（sleep apnea syndrome; SAS）とは、睡眠時に呼吸停止または低呼吸になる病気であり、睡眠中の筋弛緩により舌根部や軟口蓋が下がり気道を閉塞することが主な原因である。また、低呼吸状態を繰り返して、いびきがひどく十分な睡眠が得られない場合は、いびき不眠症と呼ばれる。
【０００３】
このような症状を改善するには、睡眠時に舌根部や軟口蓋が下がらないようにして気道を確保する必要がある。そのため、従来では特許文献１や特許文献２に記載されているような無呼吸やいびきを防止する用具が提案されている。
【０００４】
特許文献１に記載されているクッションの背部固定具は、身体を横向きの姿勢に維持するクッションと、このクッションを背負うための肩掛け部材を備えたものである。そして、このクッションを背負った状態で横たわると、背中がクッションに寄り掛かった状態になり、身体が常に横向きになる。この結果、舌根部や軟口蓋が下がらず気道を確保できるので、いびきによる睡眠不足や睡眠時無呼吸症候群の原因を解消できるというものである。
【０００５】
一方、特許文献２には、平面略Ｌ字状に屈曲したいびき防止枕が提案されている。このまくらは、平面略Ｌ字状の一方を枕として使用し、他方を背当てとして使用することで、横向きでの睡眠を促すものである。
【先行技術文献】
【特許文献】
【０００６】
【特許文献１】特開２００１−６１８７５号公報
【特許文献２】特開２００４−３３６９６号公報
【発明の開示】
【発明が解決しようとする課題】
【０００７】
ところが、特許文献１に記載されたクッションの背部固定具は、肩掛け部材を使用してクッションを背負うものなので、睡眠時にこの肩掛け部材が肩に食い込むものであった。このように、身体の一部が拘束されている状態では、健常者でも睡眠が妨げられるものである。しかも、肩掛け部材が肩に食い込んで血液の循環が悪くなると、別の疾患を引き起こす恐れもある。
【０００８】
一方、特許文献２に記載されているいびき防止枕では、枕と背当てが一体になっているので、枕の高さや材質は、背あての高さや材質と一体化されている。そのため、使用者の好みの高さや材質の枕を選択することは困難であった。ところが、睡眠時における枕の高さや材質等は、使用者の好みによって大きく異なる上、睡眠の質まで左右する要素になっている。したがって、特許文献２に記載のいびき防止枕では、体を横向きにすることは可能でも、使用者の好みに応じて枕を選択することができず、多くの使用者が熟睡することは困難である。
【０００９】
そこで本発明は上述の課題を解消すべく創出されたもので、睡眠時に背中に当てて身体を横向きにすることで、睡眠時無呼吸症候群の無呼吸やいびきを防止することができる無呼吸治療具兼いびき防止具の提供を目的とするものである。
【課題を解決するための手段】
【００１０】
本発明の第１の手段は、合成樹脂製のシート材Ｓを棒状に巻き付けて形成したクッション単体１と、複数本のクッション単体１を断面三角形状にまとめて形成したクッション複合体１０と、該クッション複合体１０の表面を覆う滑り止めシート１１とで構成され、クッション複合体１０の斜面に背中が当接すると身体が横向きになり睡眠時の気道を確保するように構成した無呼吸治療具兼いびき防止具において、前記クッション複合体１０は、径の細い小径クッション体１Ａを３本まとめて芯材とし、該芯材の周囲に径の太い大径クッション体１Ｂを３本組み合わせて断面三角形状を成すように緊締具１２でまとめると共に、まとめられた大径クッション体１Ｂの外側を吸湿カバー１３で覆ったことにある。
【００１１】
第２の手段において、前記シート材Ｓは、シート材Ｓの片面に歯車の歯の如き突起Ｓ１を設けたポリエチレン製のシート材Ｓとし、該突起Ｓ１を外向きに巻き付けて前記クッション単体１が形成され、前記滑り止めシート１１は、網目状シートの表面を合成樹脂にて被覆した滑り止めシート１１とするものである。
【発明の効果】
【００１３】
本発明の請求項１のごとく、合成樹脂製のシート材Ｓを棒状に巻き付けて形成したクッション単体１と、複数本のクッション単体１を断面三角形状にまとめて形成したクッション複合体１０とを構成したことにより、クッション複合体１０の硬度を適度な硬さにすることに成功した。この結果、睡眠時にクッション複合体１０の傾斜面が背中にソフトに当接し、違和感なく身体を横向きにすることが可能になり、睡眠時の気道を確保することができる。このとき、クッション単体１を断面三角形状にまとめて形成したクッション複合体１０により、高い通気性が確保できるので、汗ばむ夏でも快適な使用が可能になる。
【００１４】
しかも、クッション複合体１０の表面を覆う滑り止めシート１１を設けているので、クッション複合体１０の位置ずれを防止し、一晩中、安定した使用が可能である。この結果、クッション複合体１０の斜面に背中が当接すると身体が横向きになり、睡眠時無呼吸症候群の無呼吸を防止すると共に、いびきを防止する。更に、クッション複合体１０と滑り止めシート１１との組み合わせにより、軽量で位置ずれを防止できるので、左右に寝返りをするときに簡単に移動ができる。しかも、断面三角形状を成すクッション複合体１０の斜面全面を背当てに使用できるので、背中に当てる面を気にすることなくセットすることができる。この結果、左右に寝返りをするときに容易に移動できるものである。
【００１５】
請求項２のように、前記シート材Ｓは、シート材Ｓの片面に歯車の歯の如き突起Ｓ１を設けたポリエチレン製のシート材Ｓとし、該突起Ｓ１を外向きに巻き付けて前記クッション単体１が形成されているので、滑り難く、外圧を柔軟に吸収するクッション単体１を形成することができる。したがって、これらクッション単体１を複数本まとめて構成するクッション複合体１０は、各クッション単体１が相互に親和的にまとまるのでクッション複合体１０の型崩れを防止し、適度な弾力を備えるものになる。
【００１６】
また、滑り止めシート１１は、網目状シートの表面を合成樹脂にて被覆した滑り止めシート１１とするものであるから、就寝中のクッション複合体１０の移動を強固に防止することが可能である。
【００１７】
また、請求項１のように、クッション複合体１０は、径の細い小径クッション体１Ａを３本まとめて芯材とし、該芯材の周囲に径の太い大径クッション体１Ｂを３本組み合わせて断面三角形状を成すように構成したことから、小径クッション体１Ａと大径クッション体１Ｂとを組み合わせたときに傾斜面に形成される窪みが身体にフィットする。そのため、クッション複合体１０の斜面に背中がソフトに当接する。この結果、肩甲骨、背骨、腰などにクッション複合体１０が接触した際に違和感がないので、睡眠時において無意識にクッション複合体１０から離れ難くなるものである。更に、請求項２のごとく小径クッション体１Ａの突起Ｓ１相互が接して芯材を形成しているので、芯材の接点が極めて少なく多くの隙間が生じる構造になっている。そのため長時間接しても熱が四方に放散してクッション複合体１０にこもることはない。
【００１８】
しかも、クッション複合体１０は緊締具１２にてまとめられているので、クッション複合体１０を構成するクッション単体１を自由に分離することができる。したがって、嵩張らずに携帯することが可能になり、外泊時でも使用することが可能である。
【００１９】
更に、まとめられた大径クッション体１Ｂの外側を吸湿カバー１３で覆ったものであるから、吸湿カバー１３の交換で清潔な使用ができる。しかも、クッション単体１を分離することで、使用後に各部材を洗濯したり、交換したりするなどのメンテナンスも容易になる。そのため、常に清潔な使用が可能になるものである。
【図面の簡単な説明】
【００２０】
【図１】本発明のクッション複合体の一実施例を示す斜視図である。
【図２】本発明のクッション複合体の一実施例を示す側面図である。
【図３】本発明の一実施例を示す展開図である。
【図４】本発明のクッション複合体と滑り止めシートを示す正面図である。
【図５】本発明の一実施例を示す斜視図である。
【図６】本発明の使用状態を示す斜視図である。
【発明を実施するための形態】
【００２１】
本発明は、無呼吸やいびきを防止するため、睡眠時に身体が横向きになるように背中に当てて使用するものである（図６参照）。
【００２２】
本発明の主要構成は、複数のクッション単体１を組み合わせて断面三角形状に構成するクッション複合体１０と（図１参照）、このクッション複合体１０の表面を被覆する滑り止めシート１１とで構成されている（図４参照）。
【００２３】
クッション単体１は、合成樹脂製のシート材Ｓを棒状に巻き付けて形成したものである（図２参照）。図示のシート材Ｓは、シート材Ｓの片面に歯車の歯の如き突起Ｓ１を設けた発泡ポリエチレン等のポリエチレン製のシート材Ｓを使用している。このシート材Ｓは、例えば、「養生カバー歯車型」と称し、柱・間口枠・単管足場・ガレージ等の養生シートとして使用されている。図示のクッション単体１は、このようなシート材Ｓを使用し、突起Ｓ１を外向きにして巻き付けて接着テープ等で固定し棒状のクッション単体１を形成したものである（図１参照）。
【００２４】
そして、複数本のクッション単体１を断面三角形状にまとめてクッション複合体１０を構成している（図２参照）。図示例では、径の細い小径クッション体１Ａと径の太い大径クッション体１Ｂとを組み合わせたものである。
【００２５】
小径クッション体１Ａは、クッション複合体１０の芯材として使用し、大径クッション体１Ｂは、断面略三角形のクッション複合体１０の角部に位置するように配置する（図２参照）。図示例では、小径クッション体１Ａを３本断面逆三角形状にまとめて芯材とし、この芯材の周囲に３本の大径クッション体１Ｂを弾性紐状の緊締具１２でまとめている。更に、クッション複合体１０使用時の汗を吸湿するために、クッション複合体１０を例えばタオルなどの吸湿カバー１３で被覆する（図３参照）。そして、クッション複合体１０を被覆した吸湿カバー１３を弾性紐状の緊締具１４で固定している（図４参照）。このとき、緊締具１４やクッション単体１に巻き付ける接着テープの固定位置や使用本数などは任意に選択できるもので、クッション単体１やクッション複合体１０を固定するものであればよい。
【００２６】
滑り止めシート１１は、クッション複合体１０の表面を覆うシートで、クッション複合体１０の使用時に滑り止めとなるシートである（図４参照）。この滑り止めシート１１は、塩化ビニールやポリ塩化ビニール等の合成樹脂材のシートで形成される。例えば、「すべり止めネット」や「すべり止めシート」などと称し、トイレマット、キッチンマット、バスマットの下などに敷くことで、ズレや滑りを防止するシートとして広く使用されている。このシートは、ポリエステル７５％、綿２５％の芯糸で網目状のシートを形成し、このシート表面をポリ塩化ビニールで被覆したシートである。本発明は、このような構成のシートを滑り止めシート１１として使用する。そして、滑り止めシート１１でクッション複合体１０を被覆し両端を緊締具１５で固定する（図５参照）。このとき、クッション複合体１０の長さは任意に設定できるもので、例えば自宅で使用するようにロングサイズに形成したり、携帯に便利なように短く形成したりすることも可能である。
【００２７】
本発明を就寝時に使用するには、クッション複合体１０の斜面に背中を当接させ、身体が横向きになるように使用する（図６参照）。この場合、クッション複合体１０を複数使用してもよい。そして、例えば就寝時の一例として、左右何れかの向きで横寝を行う際に、クッション複合体１０の一部を背に軽く接触させる。そして、熟睡中に無意識で横寝に疲れ寝返りをしようとして体勢を変え始めたときにクッション複合体１０に背中が接して気持ち良く睡眠を継続する。この時の体勢は斜め横寝に変わるので肩への圧迫感から解放されるものになる。このような使用により、睡眠時の気道を確保することができ、睡眠時無呼吸症候群の無呼吸を防止し、いびきを防止するものである。
【００２８】
使用後は、各緊締具１５、１４、１２を外すと、滑り止めシート１１、吸湿カバー１３、クッション単体１のメンテナンスや部品の交換が可能になる。また、クッション複合体１０を分解して棒状のクッション単体１の状態や、シート材Ｓの状態で持ち歩くことも可能であるから、携帯にもすこぶる便利である。
【００２９】
尚、図示の各構成は、本発明の一実施例に過ぎず、本発明の要旨を変更しない範囲での構成の変更は自由である。
【符号の説明】
【００３０】
Ｓ  シート材
Ｓ１  突起
１  クッション単体
１Ａ  小径クッション体
１Ｂ  大径クッション体
１０  クッション複合体
１１  滑り止めシート
１２  緊締具
１３  吸湿カバー
１４  緊締具
１５  緊締具
【要約】
【課題】背中に当てて身体を横向きにすることで、睡眠時無呼吸症候群の無呼吸やいびきを防止する無呼吸治療具兼いびき防止具を提供する。
【解決手段】ポリエチレン製のシート材Ｓにて棒状のクッション単体１を形成する。複数本のクッション単体１を断面三角形状にまとめてクッション複合体１０を構成する。クッション複合体１０の表面を滑り止めシートにて覆う。就寝時にクッション複合体１０の斜面に背中を当接させる。すると身体が横向きになり睡眠時の気道を確保し、無呼吸やいびきを防止する。
【選択図】  図１【図１】
0005620026.tif 000002
【図２】
0005620026.tif 000003
【図３】
0005620026.tif 000004
【図４】
0005620026.tif 000005
【図５】
0005620026.tif 000006
【図６】
0005620026.tif 000007